(57)【要約】【課題】本発明は、現在、薬局がボトルで患者に与えている液薬（内用液剤）に代え、患者自らが内用液剤及び散剤を混合して服用できる散剤及び内用液剤混合袋を提供することを目的とする。【解決手段】１回の服用量として計量された少量の散剤を収納する散剤収納部と、前記散剤を分散させるべく計量された少量の内用液剤を収納する内用液剤収納部とを有し、両収納部を隣り合わせて配置すると共に、前記内用液剤収納部を押圧して前記散剤収納部との境界域を破壊することにより、この押潰しによって排出された内用液剤が前記散剤収納部に移動して前記散剤と混合される構成としたことを特徴とする散剤及び内用液剤混合袋。【選択図】図１
2007289402.tif 000002
【特許請求の範囲】
【請求項１】
１回の服用量として計量された少量の散剤を収納する散剤収納部と、前記散剤を分散させるべく計量された少量の内用液を収納する内用液剤収納部とを有し、
両収納部を隣り合わせて配置すると共に、前記内用液剤収納部を押圧して前記散剤収納部との境界域を破壊することにより、この押潰しによって排出された内用液が前記散剤収納部に移動して前記散剤と混合される構成とし、袋本体の１部には混合後の液薬を飲用する時に袋を切り裂くための切口を設けたことを特徴とする散剤及び内用液剤混合袋。
【請求項２】
前記散剤及び内用液剤混合袋は、袋外周をホットメルトでシールできる矩形のラミネート小袋で構成され、前記散剤収納部と前記内用液剤収納部とは前記押潰し操作によってシール破壊可能のセンターシールを介して分離し、前記内用液剤収納部の押潰し操作により前記センターシールを破壊すると共に、前記内用液剤収納部及び前記散剤収納部を交互に軽く攪拌操作することにより均一混合して使用できる構成としたことを特徴とする請求項１記載の散剤及び内用液剤混合袋。
【請求項３】
前記内用液剤収納部は、前記散剤収納部に内包される形としたことを特徴とする請求項１記載の散剤及び内用液剤混合袋。
【請求項４】
前記服用の量は複数回（ｎ）分の量であり、各収納部の仕切り部分には外方からの押圧力により密封仕切りとするチャックを設け、各収納部の内のいずれかを前記内用液又は散剤収納部とし、各収納部毎に切口を設けたことを特徴とする請求項１記載の散剤及び内用液剤混合袋。
【発明の詳細な説明】
【技術分野】
【０００１】
本発明は、散剤と内用液とを適切にパッキングすることにより、服用者が必要なときに自ら内用液剤及び散剤を混合して服用することができるようにした散剤及び内用液剤混合袋に関する。
【背景技術】
【０００２】
従来より、医療機関や調剤薬局で患者に対して調剤されている内用液剤は、医師及び薬剤師により配合され、ボトル容器（投薬びん）に入れられて患者に渡されている。医師又は薬剤師は処方に従って複数回分の内用液剤量を計量し、これを１回分の服用量を示したボトル容器（投薬びん）に入れている。このボトル容器（投薬びん）は汎用性を持たせるため、単に目盛りを印しただけのものであるので、１回分の服用量をペンで印を入れている。散剤（細粒、顆粒、ドライシロップ等を含む）を水、内用液剤（シロップを含む）と混合し、懸濁液とする場合も同様であり、処方により計量し、散剤と内用液剤とを混合してボトルに入れ、１回分毎の印を入れる。散剤の種類によっては、微粉化されており、よく飛散し、かつよく吸湿するため、その取り扱いには迅速性と細心の注意が必要であるものもある。このようにして調剤される液薬（水薬又は内用液薬とも呼ぶ）は服用期限が数日に制限されていたり、薬剤の力価の低下や苦味が強くなる等の問題もあり、服用方法を細かく説明して手渡さねばならない。また、患者はボトル容器（投薬びん）に入れられた液薬を計量しつつ服用せねばならぬので、正確に計量して、服用せねばならなかった。
【０００３】
実開平７−３４８３５号公報には、ミシン目で切り取り可能な水容器を連接して成る携帯用水薬容器が示されているが、服用期限があるためこの種容器に水薬を予め充填しておくことはできない。また、薬局には携帯用水薬容器を多品種少量生産するような機械が無いので、患者毎に都度製造してあげることもできない。
【０００４】
そこで、本発明者は、服用の度に患者自らが散剤及び内用液剤を混合して服用できる便利な散剤及び内用液剤混合袋を提案するものであるが、参考となる公報類を示すと次の通りである。
【０００５】
実用新案登録第３１０９９９６号公報（薬入れ容器）は、水筒状の水容器と薬容器を合体させ、薬及び水を必要量だけ取出して、水を使って薬を飲むというものである。医療機関で用いる水薬は、患者に水薬として手渡すというのであるから、この水筒状の水容器で散剤を飲むよう指定することができず、液薬には適用できない。
【０００６】
実用新案登録第３１１０７４２号公報（携帯用薬容器）は、中間で縦方向に分割可能のひょうたん形の水及び薬容器に関するものであり、前述の薬入れ容器と略同一の作用、効果を奏するものと考えられる。一般の薬には適用できるが、液薬には適合できない。
【０００７】
特開２００５−４０４１５号公報（２液混合袋状輸液容器）は、一般的な２液混合袋状輸液容器の改良に関するもので、センターシールの開通し忘れを防止すべく、２液収納された容器の折り畳みの開放時に、センターシールを同時的に開通することができるようにしたというものである。これは輸液の２液混合に関するものであり、１回分の服用量が０．５〜１ｇ程度の小袋について示すものではなく、かつ散剤と内用液剤を混合できるというものではない。
【特許文献１】実開平７−３４８３５号公報、第１頁、図１
【特許文献２】実用新案登録第３１０９９９６号公報、第１頁、図１
【特許文献３】実用新案登録第３１１０７４２号公報、第１頁、図１
【特許文献４】特開２００５−４０４１５号公報、第１頁、図１
【発明の開示】
【発明が解決しようとする課題】
【０００８】
本発明は、現在、医師及び薬剤師が散剤及び内用液剤を混合し患者にボトルで与えている液薬に代え、服用の度に患者自らが散剤及び内用液剤を混合して服用できる散剤及び内用液剤混合袋を提供することを目的とする。
【０００９】
また、１回当りの服用を基準とするが、１回の混合操作で複数回（２、３回）服用することができる散剤及び内用液剤混合袋を提供することを目的とする。
【課題を解決するための手段】
【００１０】
上記課題を解決するため本発明者は、鋭意研究を重ねた結果、次の通りの散剤及び内用液剤混合袋を発明するに至った。
【００１１】
本発明の散剤及び内用液剤混合袋は、１回の服用量として計量された少量の散剤を収納する散剤収納部と、前記散剤を混合させるべく計量された少量の内用液剤を収納する内用液剤収納部とを有し、両収納部を隣り合わせて配置すると共に、前記内用液剤収納部を押圧して前記散剤収納部との境界域を破壊することにより、この押潰しによって排出された内用液剤が前記散剤収納部に移動して前記散剤と混合される構成とし、袋本体の１部には混合後の水薬を飲用する時に袋を切り裂くための切口を設けたことを特徴とする。
【００１２】
前記散剤及び内用液剤混合袋は、袋外周をホットメルトでシールされた矩形のラミネート小袋で構成し、前記散剤収納部と前記内用液剤収納部とは前記押潰し操作によってシール破壊可能のセンターシールを介して分離し、前記内用液剤収納部の押潰し操作により前記センターシールを破壊すると共に、前記内用液剤収納部及び前記散剤収納部を交互に軽く押圧操作することにより、又は震盪処理することにより均一混合して使用できる構成とすることができる。袋には透明材を用い混合状態を観察できるようにすることもできる。
【００１３】
また、前記内用液剤収納部は、前記散剤収納部に内包される形とすることができる。
【００１４】
さらに、前記服用の量は複数回（ｎ）分の量とし、各収納部の仕切り部分には外方からの押圧力により密封仕切りとするチャックを設け、各収納部の内少なくとも１つに関連して前記内用液剤又は散剤収納部とし、各収納部毎に切口を設けて複数回分の量を一度に混合し、複数回に分けて服用することができる。
【００１５】
袋の形態としては、従来ある分包器による矩形の分包の他、コーヒーシュガ等に適用されているスティック状のものとすることができる。列状配置も縦方向、横方向等様々な形に形成できる。
【００１６】
本発明の散剤及び内用液剤混合袋は、散剤収納部と内用液剤収納部を有し、前記内用液剤収納部を指で押圧して前記散剤収納部との境界域を破壊することにより、内用液及び散剤を混合し縣濁液を作ることができる。混合後、切口から袋を切り裂いて混合された液薬を服用することができる。
【００１７】
散剤及び内用液剤混合袋は、散剤と内用液剤を分けて収納しているので、内用液剤収納部を押圧し押潰さない限り長期（例えば１年）その効能が失われることがなく、調剤窓口、薬店等薬局の棚に貯蔵しておくことができる。
【００１８】
風邪、咳止め、或いは抗生物質等の薬毎、大人及び子供毎、或いは特殊事項毎に分けて大量生産し、医師の処方に合わせて服用させるべく通常の分包薬と同様に取扱うことができる。従って、都度の混合調剤作業が不要となる。
【００１９】
また、散剤種別にあっては、粒子が細かく吸湿性が強く、分包器によっては分包に適さず、また、内用液剤と混合して縣濁液とした場合、薬の力価が低下したり、苦味が出る等の悪影響が出ることがあり、調剤しにくい場合があった。
【００２０】
本発明では、医薬品メーカ側で悪影響のない、力価が低下しない内用液剤を最適に定めることができる。
【００２１】
また、患者、病人側から見ても、どこでも服用でき、手を汚さず服用でき、水やコップを持ち歩く必要がなく、１回の服用量を正しく服用することができ、ボトルをこぼして数回分を全て無くしてしまうというような事故もなくなる。
【発明の効果】
【００２２】
以上の通り、本発明は特許請求の範囲に記載の通りの散剤及び内用液剤混合袋であるので、内用液剤収納部を押圧して内用液剤収納部の内用液剤を散剤収納部に送り混合でき、服用者自らが服用に応じて縣濁液を作って服用することができる。
【００２３】
医師の観点から見れば、患者に応じた難しい液薬の調合の必要がなくなり、メーカ側で適切配合した形の分包薬品として、これを患者に選択配分することができる。また従来、微粉であり、吸水性が強い等の理由で分包器で分包し難かった散剤についても、散剤及び内用液剤混合袋として提供できる。
【００２４】
患者の側から見れば、いつでも、どこでも手を汚さず、正確な量の服用ができ、ボトルをこぼして残り量を全て無くし、あわてて病院に駆け込まねばならないような事故もなくなる。
【００２５】
請求項２に記載の発明によれば、センターシールの破壊により内用液剤及び散剤を混合できるので、縣濁液を容易に作ることができ、切口を開いて通常分包品と同様の服用ができる。この形は矩形を長くすればスティック形状についても同様である。袋を透明材で作り、又は袋の一部に透明窓を設けておけば、混合状態を観察でき、十分に混合してから服用できる。
【００２６】
請求項３に記載の発明によれば、内用液剤収納部を散剤収納部内に内包するので、製造容易でコンパクトな形の分包品とすることができる。この形は、スティック形状にも利用できる。
【００２７】
請求項４に記載の発明によれば、１回の混合操作についで各収納部に１回分ずつ等量に分配でき、かつ各収納部別に切口を設けたので、１回に服用する量を簡単に変更でき、残りの液薬の保存が容易であり、次回の服用の際に、汚染の問題が起こらず、衛生的に利用できる。
【発明を実施するための最良の形態】
【００２８】
以下、添付図面を参照して本発明を実施するための最適の形態を説明する。図１及び図２は本発明の一実施形態に係る散剤及び内用液剤混合袋の平面図及び断面図である。
【００２９】
図１及び図２に示すように、本発明の一実施形態に係る散剤及び内用液剤混合袋１は、通常の分包袋同様に外形が略矩形（例えば５０ｍｍ×７５ｍｍ）で偏平（例えば厚み５〜８ｍｍ）に形成されている。図２は厚みを少し大袈裟に示している。
【００３０】
表裏のラミネート２Ｓ、２Ｒには、熱融着機能のあるフィルム３が添設されており、矩形の外周がコーナ部４として熱融着される形となっている。コーナ部４（４ａ、４ｂ、４ｃ、４ｄ）で囲まれた内側は、内用液剤収納部５と散剤収納部６が、その略中間位置で熱融着による仕切り面７を介して形成されている。仕切り面７はセンターシールを構成するが、これは内用液剤収納部５の押圧操作によって破壊可能とすべく、中間位置を細かくし、或いは適宜に切り目を入れて構成してある。
【００３１】
前記散剤収納部６には、１回分の服用量として正確に、例えば０．５ｇ或いは１ｇ等と計量された散剤８が収納されている。また、内用液剤収納部５には、この散剤に見合って適切に選択された３〜７ｃｃ程度の所要の量の内用液剤９が収納されている。内用液剤収納部５は、容積中の８０％を内用液剤で占める等、内用液剤を充満するが、散剤収納部６には散剤８を収納した状態で偏平化した状態とする。これは、内用液剤収納部５から内用液剤９が侵入したとき、矢印で示す方向に自由に膨張してコーナ部４が破壊することがないようにするための処置である。前記コーナ部４ｄの適切な一位置には切口１０が設けられている。従って、この切口１０から切り裂くことにより、本例では散剤収納部６を破線１１に沿って切り開くことができる。
【００３２】
以上の構成の散剤及び内用液剤混合袋１の製造方法について示すと、まず第１に１つのコーナ部４ｃのみを残した状態で熱融着して散剤８を投入し、次いで仕切り面７を作ってから内用液剤９を入れてコーナ部４ｃを閉じ、次いで封入する。
【００３３】
以上の構成の散剤及び内用液剤混合袋１の利用方法について示すと、薬局には図１、図２で示した形の散剤及び内用液剤混合袋１が送られてくるので、これを薬品棚にストックしておき、医師の処方に従って適切な選択処方をすれば良い。例えば病名、年齢に従って、所定の散剤及び内用液剤混合袋１を患者に１週間分、例えば３×７＝２１個渡す等である。従来の配合作業は一切必要ない。しかもメーカ側で適切に配合されているので適切な配合薬品として渡すことができる。
【００３４】
一方、散剤及び内用液剤混合袋１を受け取った服用者は、服用すべき時刻に１服分取り出して、図２に示す内用液剤収納部５の位置ＬＳ（left side）を指の力Ｆで押し潰し、仕切り面７を開通して内用液剤９を散剤収納部６に送り、次いで震盪操作を加え、或いは他方の位置ＲＳ（right side）を押して内用液剤９を逆流させ、このように何回かの揉み込み作業をして均一に混合できる。位置ＬＳを押すと、その分逆の位置ＲＳが膨らむ。図には膨張することを小さな矢印で示している。混合後は両収納部５、６に縣濁液が完成しているので、切口１０から収納部６の一端を破線１１に沿って切り裂き、液薬を服用することができる。従来のように計量カップで計量しなくとも、正確な量の液薬を服用でき、病気の治療を確実に行うことができる。
【００３５】
図３及び図４に示すように、本発明の他の実施形態に係る散剤及び内用液剤混合袋１２は、外周をコーナ部４ａ、４ｂ、４ｃ、４ｄとした１つの散剤収納部１３を有し、この中に水玉から成る内用液剤収納部１４を備えて成る。図１及び図２で示した部材と同一機能を果す部材には同一参照符号を付けて示してある。
【００３６】
水玉から成る内用液剤収納部１４は、散剤及び内用液剤混合袋１２の本体とは別体に作られて後、コーナ部４ｃで同時的に熱融着され一体化されている。
【００３７】
製造方法を示すと、まず内用液剤収納部１４を別体で製造する。内用液剤収納部１４の材料は、熱融着可能の樹脂フィルムで袋状とし、押圧によって容易に破れるフィルムで作っておく。そして、その中に所定の内用液剤を所定量封じ込めて作る。
【００３８】
次に、コーナ部４ｃを開放した形の袋を作り、この中に所定の散剤を所定量計量して入れ、その後、前記内用液剤収納部１４の一端をコーナ部４ｃに合わせて熱融着する。これにより、図４に示すように、散剤８及び水玉１４を封じ込めた形の散剤及び内用液剤混合袋１２ができる。散剤８の量、水玉１４中の内用液剤の量については、図１及び図２のものと同様である。水玉１４は、散剤収納部１３の一辺側に片寄らせて配置した形となり、他の辺寄りの位置に切口１０を設けている。従って、切口１０を破線１１に沿って切り開いても、水玉１４の破片部分が影響することはない。
【００３９】
病院、薬局における取扱いについては、図１、図２のものと同一である。
【００４０】
服用者にとっても、図１、図２の場合と略同一である。水玉１４の存在する位置ＬＳを押圧することにより、水玉１４が破れ、内用液剤９を散剤８と混合し、縣濁液を作ることができる。そして、必要に応じ、所要の時刻に液薬を飲むことができる。
【００４１】
図５及び図６は、連結タイプの実施形態を示す。本実施形態の散剤及び内用液剤混合袋１５は、２回服用可能の例であり、図３及び図４に示す散剤及び内用液剤混合袋１２にもう１つの散剤収納部を付属させた形となっている。即ち、本例の散剤及び内用液剤混合袋１５は、２つの液薬収納部１６、１７をチャック１８を介して接続した形となっている。図３及び図４に示したものに対し２倍程度の長さとなっているので、長さ方向に沿ったコーナ部を４ｂ−１、４ｂ−２、４ｄ−１、４ｄ−２に分けて示す。図３、図４に示すものと同一機能を果す部材には同一参照符号を付けて示してある。
【００４２】
前記チャック１８は、雌雄の部１８Ｆ、１８Ｍから成り、相互を外部から押圧することにより、図７に示した形で接合し、両収納部１６、１７を分離密封することができる。メーカの製造段階及び薬局での保存段階ではチャック１８は開いた状態とする。表面には、１回目（first）、２回目（second）の印が付けられており、チャック１８の近傍で両側に夫々の切口１０−１、１０−２が設けられている。
【００４３】
図５及び図６に示す散剤及び内用液剤混合袋１５の製造方法について示す。散剤８及び内用液剤収納部（水玉）１４の投入及び取付けについては、長さが異なるだけで図３、図４のものと同一である。散剤８は、どちらの液薬収納部１６、１７に入れても良い。中心に大きな押圧力が加わらない限りチャック１８が閉じることはなく、チャック１８が開いた状態で薬局に送られる。散剤８及び内用液剤９の量は、図３、図４に示したものに対し、丁度２倍量である。
【００４４】
薬局での取扱いについては、図３、図４のものに対し、２回服用量として服用者に渡すのみで、異なる所がない。
【００４５】
服用者は、注意書きに従って、まず第１に水玉を潰して散剤と内用液剤とを混合し、縣濁液を作る。即ち震盪操作によって混合し、又は水玉１４のある位置ＬＳを押し潰し、次いで反対の位置ＲＳを押して何回か揉み、縣濁液を作ることができる。
【００４６】
次に図左方のコーナ部４ｃ部分を下にして、散剤及び内用液剤混合袋１５を図示の横位置ではなく縦位置に保持する。
【００４７】
図６には横姿勢で示すが、実際には縦姿勢で使用するものであり、縦位置にして予め確かめられた量で分けられる位置にチャック１８を持ってくるようにした方が良い。１回目を服用した後は、切口１０−１の部分で１回目の服用後の不必要な部分を切り取って捨てる事になる。
【００４８】
服用はまず一方の液薬収納部１６又は１７から始める。どちらでも良いが混乱を生ぜぬよう収納部１６側を第１回目とすべく印が付けてある。従って、例えば切口１０−１を切り開き、液薬収納部１６の液薬を服用することができる。このとき、当然に図５の左側を上方に位置させねば液薬がこぼれる。一方の液薬を服用すると、残り液薬は図７の状態となる。
【００４９】
２回目の服用では、チャック１８に沿って設けた別の切口１０−２を切り開いて服用する。既に切り取った部分はチャック１８で隔離されており、切取り部分が汚れていたとしても、それを切り取って服用するので衛生上の問題が生じない。
【００５０】
図５、図６の例では２分割の例を示したが、３分割、４分割と連結数を増やすことができる。また、長手方向に沿って接続する例を示したが、短辺に沿って連結することもできる。さらに、水玉１４を１つの液薬収納部に配置したが、２以上の部分に分けることもできる。さらに、また、内用液剤収納部として水玉１４の例を示したが、図１、図２で示したような仕切り面で構成することもできる。
【００５１】
本発明の散剤及び内用液混合袋１５は、医薬品にして提供されるものであるため、誤って倍量服用する場合は避ける必要がある。絶対誤っての服用を避けるため２個のチャック１８を隣り合わせに作って、その間を切るようにすることもできる。
【００５２】
本発明は、上記実施形態に限定されるものではなく、本発明の要旨を逸脱しない範囲で適宜設計的変更して実施することができ、各種態様で実施できる。
【図面の簡単な説明】
【００５３】
【図１】本発明の一実施形態に係る散剤及び内用液剤混合袋の平面図である。
【図２】図１の縦断面図である。
【図３】本発明の他の実施形態に係る散剤及び内用液剤混合袋の平面図である。
【図４】図３の縦断面図である。
【図５】本発明のさらに他の実施形態に係る散剤及び内用液剤混合袋を示す平面図である。
【図６】図５の縦断面図である。
【図７】図５及び図６に示した散剤及び内用液剤混合袋の使用形態を図６との比較で示す説明図である。
【符号の説明】
【００５４】
１、１２、１５  散剤及び内用液剤混合袋
２Ｓ、２Ｒ  ラミネート
３  フィルム
４（４ａ、４ｂ、４ｃ、４ｄ）  コーナ部
５  内用液剤収納部
６、１３  散剤収納部
７  仕切り面
８  散剤
９  内用液剤
１０（１０−１、１０−２）  切口
１１  破線
１４  内用液剤収納部（水玉）
１６、１７  液薬収納部
１８  チャック
【図１】
2007289402.tif 000003
【図２】
2007289402.tif 000004
【図３】
2007289402.tif 000005
【図４】
2007289402.tif 000006
【図５】
2007289402.tif 000007
【図６】
2007289402.tif 000008
【図７】
2007289402.tif 000009